(57)【要約】【課題】  緩衝器の取付長を短くすることが可能な取付構造を提供することである。【解決手段】  緩衝器の端部に設けた球体を抱持する保持部をブラケットに取付ける取付構造において、保持部の側部緩衝器側にブラケットに連結される鍔部を設けることにより、保持部４の軸方向長さの中にブラケット１０の厚み、ボルトＢもしくはナットＮの長さが収まることとなり、緩衝器１の取付長Ｌ１は短くなる。【選択図】      図１
2006002865.tif 000002
【特許請求の範囲】
【請求項１】
緩衝器の端部に設けた球体を抱持する保持部をブラケットに取付ける取付構造において、保持部の側部緩衝器側にブラケットに連結される鍔部を設けたことを特徴とする取付構造。
【請求項２】
ブラケットに孔を設け、保持部を該孔に挿通し、鍔部とブラケットとを対面させて連結することを特徴とする取付構造。
【発明の詳細な説明】
【技術分野】
【０００１】
本発明は取付構造の改良に関し、特に、緩衝器の端部に設けた球体を抱持する抱持部をブラケットに取付ける取付構造に関する。
【背景技術】
【０００２】
たとえば、構造物の耐震性を向上させるために、図２に示すように、上梁Ｂ１と下梁Ｂ２との間に設けた間柱Ｓを途中で分割し、この分割された間柱Ｓの間に緩衝器Ｄを介装して、構造物に作用する振動を減衰させているものがある。
【０００３】
このような制振装置で使用される緩衝器Ｄを間柱Ｓ間に介装する方法としては種々あるが、特に、いわゆるボールジョイントを介して間柱Ｓに取付ける取付構造としては、たとえば、図３に示すように、緩衝器Ｄの端部に設けた球体Ｒと、該球体Ｒを抱持する保持部Ｔとでボールジョイントを構成するとともに、この保持部Ｔを間柱Ｓに起立したブラケットたるプレートＰに連結するものがある（たとえば、特許文献１参照）。
【０００４】
そして、この取付構造にあっては、保持部Ｔの先端部にフランジＦを設け、該フランジＦをプレートＰに対面させるとともに、ボルトとナットによりフランジＦとプレートＰを挟持して連結するとしている。
【特許文献１】特開２００２-２７６９９１号公報（段落番号００２０，図１）
【発明の開示】
【発明が解決しようとする課題】
【０００５】
上記従来の取付構造では特に機能上特に欠陥があるわけではないが、以下の不具合があると指摘される危険がある。
【０００６】
ここで、間柱Ｓは、上述のように構造物の柱と梁Ｂ１で作られるラーメン内に設けられるが、該ラーメン内に窓や出入口等の開口部を設ける場合、当該間柱Ｓは邪魔となるので、できるだけ間柱Ｓの幅を小さくする方が好ましい。
【０００７】
しかしながら、間柱Ｓ間に介装される緩衝器Ｄは、図３に示すがごとく、間柱Ｓ間に並行に寝かせた状態で介装されるので、間柱Ｓの幅は、プレートＰ、ボルトもしくはナット長を含めた緩衝器の取付長Ｌを確保しなくてはならず、間柱Ｓの幅を小さくすることの弊害となっている。
【０００８】
また、上記間柱Ｓ間以外でも一般的に狭い搭載スペースに緩衝器を介装する必要がある場合には、上記取付長Ｌを小さくしたいという要請もある。
【０００９】
そこで、本発明は上記不具合を改善するために創案されたものであって、その目的とするところは、緩衝器の取付長を短くすることが可能な取付構造を提供することである。
【課題を解決するための手段】
【００１０】
上記の目的を達成するため、本発明の課題解決手段は、緩衝器の端部に設けた球体を抱持する保持部をブラケットに取付ける取付構造において、保持部の側部緩衝器側にブラケットに連結される鍔部を設けたことを特徴とする。
【発明の効果】
【００１１】
本発明によれば、ブラケットに連結される保持部の鍔部が緩衝器側に設けられているので、緩衝器の取付長は、従来の取付構造を採用したものより短くなる。
【００１２】
したがって、取付長が従来より短くなるので、間柱の幅を小さくすることが可能となり、また、狭いスペースへの緩衝器の搭載性を向上させることが可能となる。
【発明を実施するための最良の形態】
【００１３】
以下、本発明を、図に示した実施の形態にもとづいて説明する。図１は、一実施の形態における取付構造が具現化された緩衝器の正面図である。
【００１４】
なお、本発明に係る取付構造は、制振装置における緩衝器の取付部分に具現化されており、この制振装置は、図２に示した従来の制振装置と同様に、間柱Ｓ間に緩衝器１を介装させたものである。
【００１５】
そして、緩衝器１は、シリンダ２と、シリンダ２内にピストン（図示せず）を介して移動自在に挿入されたロッド３とを備え、シリンダ２内に作動油等の液体が充填されたいわゆる両ロッド型の緩衝器として構成され、ロッド３がシリンダ２に対し出没するときに所定の減衰力を発生するように設定されている。
【００１６】
なお、本実施の形態のように制振用途に供される場合には、緩衝器１に、シリンダロック機能を搭載させても良い。
【００１７】
他方、本発明の取付構造は、上記緩衝器１の端部、すなわち、ロッド３の図１中左端およびシリンダ２の図１中右端に具現化されており、ロッド３端およびシリンダ２端にそれぞれ結合された球体６と、球体６を抱持する保持部４と、保持部４の側部緩衝器側に延設された鍔部５とで構成されている。
【００１８】
以下、各部について詳細に説明すると、保持部４は、内部に球体６を摺動自在に抱持できるように中空部を設けてあり、具体的にたとえば、図示はしないが、保持部４は、２つの部材で構成され、一方の部材は、球体６を受けられるように、半球状の凹部が設けられ、他方の部材は、球体６を受けられるように半球状の凹部が設けられるとともに、ロッド３が挿通可能なようにその軸芯部に該凹部に連通する孔が設けられ、この一方の部材と他方の部材とで球体６を挟み込むことにより、球体６は保持部４に締めつけられるとともに摺動自在に抱持されることとなる。
【００１９】
また、保持部４の側部には、上記したように、その緩衝器１側に鍔部５が延設され、この鍔部５には、複数箇所にボルトＢが挿通可能なようにボルト孔（図示せず）が設けられている。
【００２０】
他方、間柱Ｓに固定されているブラケット１０は、Ｌ字板状に形成され、間柱Ｓに螺合等により固着される板状の基部１１と、基部１１から垂直に立ち上がる板状のプレート部１２と、プレート部１２に設けた上記保持部４が挿通される孔１３と、この孔１３に干渉しない位置に穿設した上記鍔部５に設けたボルト孔に符合する複数のボルト孔（図示せず）とで構成されている。
【００２１】
そして、ブラケット１０，１０を介して緩衝器１を間柱Ｓ，Ｓ間に取付けるには、保持部４をブラケット１０の孔１３に挿通させるとともに、上記ボルト孔同士を符合させつつ鍔部５とプレート部１２とを対面させ、該ボルト孔に挿入したボルトＢと、ナットＮでプレート部１２および鍔部５を挟持するようにする。
【００２２】
すると、本実施の形態における取付構造が具現化された緩衝器１では、ブラケット１０に連結される保持部４の鍔部５が緩衝器側に設けられているので、保持部４の軸方向長さの中にブラケット１０のプレート部１２の厚み、ボルトＢもしくはナットＮの長さが収まることとなり、緩衝器１の取付長Ｌ１は、従来の取付構造を採用したものより短くなる。
【００２３】
したがって、取付長Ｌ１が従来より短くなるので、間柱Ｓの幅を小さくすることが可能となり、また、狭いスペースへの緩衝器の搭載性を向上させることが可能となる。
【００２４】
さらに、間柱Ｓの幅を小さくすることが可能であることから、構造体の柱と梁で作られるラーメンに対する間柱Ｓの占有面積が小さくなるので、ラーメンを壁以外の用途に使用することができる。
【００２５】
すなわち、ラーメン内に出入口、給排気および給排水等の配管設備、通風設備、採光設備等のいわゆる非構造部材を設けることが可能となり、複数のラーメンを組み合せて完成される構造物の設計に当り、構造物への非構造部材の配置の自由度を飛躍的に高められる。そして、構造物の設計自由度が高められるので、設計者の設計上の負担も軽減される。
【００２６】
なお、本実施の形態では、プレート部１２を板状に形成しているが他の形状とされてもよく、また、該プレート部１２に保持部４を挿通可能なように孔を設けているが、プレート部１２と鍔部５とを対面させて連結できればよいので、たとえば、該孔の替わりにプレート部１２の図１中上方もしくは側方からその中心部に向う切欠を設けてもよい。
【００２７】
また、プレート部１２と鍔部５との連結は、ボルトＢおよびナットＮで行う以外にも、溶接や接着等によってもよく、この場合にも、取付長Ｌ１を従来の取付構造よりも短くすることができる。
【００２８】
以上で、本発明の実施の形態についての説明を終えるが、本発明の範囲は図示されまたは説明された詳細そのものには限定されないことは勿論である。
【図面の簡単な説明】
【００２９】
【図１】一実施の形態における取付構造が具現化された緩衝器の正面図である。
【図２】間柱に緩衝器を介装した制振装置を示す概略図である。
【図３】従来の取付構造が具現化された緩衝器の正面図である。
【符号の説明】
【００３０】
１  緩衝器
２  シリンダ
３  ロッド
４  保持部
５  鍔部
６  球体
１０  ブラケット
１１  基部
１２  プレート部
１３  孔
Ｂ    ボルト
Ｎ    ナット
Ｓ    間柱
【図１】
2006002865.tif 000003
【図２】
2006002865.tif 000004
【図３】
2006002865.tif 000005